(57)【要約】【課題】  少なくとも二次側流路を確実に殺菌でき、より安全な飲料水を提供することができる浄水装置を提供する。【解決手段】本発明に係る浄水装置１は、原水を浄化することによって浄水を生成する浄化部２０と、殺菌成分を含むオゾンガスを生成するオゾン生成部３０と、浄化部２０により生成される浄水を吐出する通水モードと、オゾン生成部３０により生成されるオゾンガスによって、少なくとも浄化部２０の下流側に位置する二次側流路を殺菌する殺菌モードとを切り替える制御部５０とを備える。制御部５０は、通水モードにおいて浄水が吐出されていないと判断した場合のみ、オゾン生成部３０を稼働させて殺菌モードへ切り替える。【選択図】図２
2013126629.tif 000002
【特許請求の範囲】
【請求項１】
原水を浄化することによって浄水を生成する浄化部と、
殺菌成分を含む流体を生成する流体生成部と、
前記浄化部により生成される前記浄水を吐出する通水モードと、前記流体生成部により生成される前記流体によって、少なくとも前記浄化部の下流側に位置する二次側流路を殺菌する殺菌モードとを切り替える制御部と
を備え、
前記制御部は、前記通水モードにおいて前記浄水が吐出されていないと判断した場合のみ、前記流体生成部を稼働させて前記殺菌モードへ切り替えることを特徴とする浄水装置。
【請求項２】
請求項１に記載の浄水装置であって、
前記流体は、殺菌成分を含む気体であることを特徴とする浄水装置。
【請求項３】
請求項１又は請求項２に記載の浄水装置であって、
前記通水モードの終了時には、少なくとも前記二次側流路内に残留した前記浄水を排出することを特徴とする浄水装置。
【請求項４】
請求項１乃至請求項３の何れかに記載の浄水装置であって、
前記原水を貯水する原水槽を備え、
前記原水槽の上端は、前記浄化部の上端よりも低い位置に設けられることを特徴とする浄水装置。
【請求項５】
請求項１乃至請求項４の何れかに記載の浄水装置であって、
前記流体生成部は、少なくとも前記二次側流路内に残留した前記浄水が排出されると同時に、前記流体を流出させることを特徴とする浄水装置。
【請求項６】
請求項１乃至請求項５の何れかに記載の浄水装置であって、
前記流体は、殺菌成分を含む液体であることを特徴とする浄水装置。
【請求項７】
請求項６に記載の浄水装置であって、
前記液体は、オゾン又は塩素を含むことを特徴とする浄水装置。
【請求項８】
請求項１乃至７の何れかに記載の浄水装置であって、
前記浄化部の上流側に位置する一次側流路に前記流体を導く一次側循環路と、
前記二次側流路に前記流体を導く二次側循環路と
を備え、
前記流体生成部は、前記一次側循環路及び前記二次側循環路にそれぞれ前記流体を循環させることを特徴とする浄水装置。
【請求項９】
請求項１乃至８の何れかに記載の浄水装置であって、
前記殺菌モードの終了時に前記流体を外部に放出することを特徴とする浄水装置。
【請求項１０】
請求項１乃至９の何れかに記載の浄水装置であって、
前記流体を無害化する流体無害化手段を備えることを特徴とする浄水装置。
【請求項１１】
請求項１０に記載の浄水装置であって、
前記流体無害化手段は、前記浄化部によって構成されることを特徴とする浄水装置。
【発明の詳細な説明】
【技術分野】
【０００１】
本発明は、原水を浄化して浄水を生成する浄水装置に関する。
【背景技術】
【０００２】
従来から、活性炭等を備えた浄化部によって、水道水等の原水を浄化して浄水を生成する浄水装置について、様々な提案がなされている。
【０００３】
例えば、濾過膜や活性炭等を収容する複数の浄化部と、鉱石砕片を収容するミネラルタンクと、オゾンガスを生成するオゾン発生器に連通して内部に紫外線照射器を有する殺菌タンクとを備える浄水装置が知られている（例えば、特許文献１参照）。
【０００４】
複数の浄化部としては、粗目の濾過膜を収容する第１浄化部（粗濾過タンク）と、活性炭を収容する第２浄化部（活性炭濾過タンク）と、微細な濾過膜を収容する第３浄化部（精密ろ過タンク）とによって構成されている。
【０００５】
このような浄水装置では、第１浄化部に導入された原水が粗く濾過された後、第２浄化部、ミネラルタンク及び殺菌タンクの間を一回以上循環し、第３浄化部にて再濾過された後、放出されるようになっている。そして、オゾンガスは、紫外線によって分解されるため、安全でミネラル分の豊富な飲料水（浄水）を提供することができる。
【先行技術文献】
【特許文献】
【０００６】
【特許文献１】特開平１１−１９７６５６号公報
【発明の概要】
【発明が解決しようとする課題】
【０００７】
しかしながら、上述した従来の浄水装置では、オゾン発生器により生成されたオゾンガスが第３浄化部を通過することによって無害化されてしまう。このため、第３浄化部の下流側に位置する流路（二次側流路）が殺菌されずに、二次側流路が必ずしも衛生的であるとは限らなかった。
【０００８】
そこで、本発明は、少なくとも二次側流路を確実に殺菌でき、より安全な飲料水を提供することができる浄水装置の提供を目的とする。
【課題を解決するための手段】
【０００９】
上述した課題を解決するため、本発明は、次のような特徴を有している。まず、本発明の第１の特徴は、原水を浄化することによって浄水を生成する浄化部と、殺菌成分を含む流体を生成する流体生成部と、前記浄化部により生成される前記浄水を吐出する通水モードと、前記流体生成部により生成される前記流体によって、少なくとも前記浄化部の下流側に位置する二次側流路を殺菌する殺菌モードとを切り替える制御部とを備え、前記制御部は、前記通水モードにおいて前記浄水が吐出されていないと判断した場合のみ、前記流体生成部を稼働させて前記殺菌モードへ切り替えることを要旨とする。
【００１０】
本発明の第２の特徴は、本発明の第１の特徴に係り、前記流体は、殺菌成分を含む気体であることを要旨とする。
【００１１】
本発明の第３の特徴は、本発明の第１又は第２の特徴に係り、前記通水モードの終了時には、少なくとも前記二次側流路内に残留した前記浄水を排出することを要旨とする。
【００１２】
本発明の第４の特徴は、本発明の第１乃至第３の特徴に係り、前記原水を貯水する原水槽を備え、前記原水槽の上端は、前記浄化部の上端よりも低い位置に設けられることを要旨とする。
【００１３】
本発明の第５の特徴は、本発明の第１乃至第４の特徴に係り、前記流体生成部は、少なくとも前記二次側流路内に残留した前記浄水が排出されると同時に、前記流体を流出させることを要旨とする。
【００１４】
本発明の第６の特徴は、本発明の第１乃至第５の特徴に係り、前記流体は、殺菌成分を含む液体であることを要旨とする。
【００１５】
本発明の第７の特徴は、本発明の第６の特徴に係り、前記液体は、オゾン又は塩素を含むことを要旨とする。
【００１６】
本発明の第８の特徴は、本発明の第１乃至第７の特徴に係り、前記浄化部の上流側に位置する一次側流路に前記流体を導く一次側循環路と、前記二次側流路に前記流体を導く二次側循環路とを備え、前記流体生成部は、前記一次側循環路及び前記二次側循環路にそれぞれ前記流体を循環させることを要旨とする。
【００１７】
本発明の第９の特徴は、本発明の第１乃至第８の特徴に係り、前記殺菌モードの終了時に前記流体を外部に放出することを要旨とする。
【００１８】
本発明の第１０の特徴は、本発明の第１乃至第８の特徴に係り、前記流体を無害化する流体無害化手段を備えることを要旨とする。
【００１９】
本発明の第１１の特徴は、本発明の第１０の特徴に係り、前記流体無害化手段は、前記浄化部によって構成されることを要旨とする。
【発明の効果】
【００２０】
本発明の特徴によれば、殺菌モードでは、流体生成部により生成される流体によって、少なくとも浄化部の下流側に位置する二次側流路を殺菌している。このため、二次側流路を衛生的に保つことができ、安全な飲料水（浄水）を提供することができる。
【００２１】
加えて、通水モードにおいて浄水が吐出されていないと判断した場合のみ、流体生成部が稼働して殺菌モードへ切り替わる。このため、浄水に流体が含有されてしまうことを防止でき、流体が含有された浄水が吐出されてしまうことなく、さらに安全な飲料水を提供することができる。
【図面の簡単な説明】
【００２２】
【図１】第１実施形態に係る浄水装置の通水モードを示す構成図である。
【図２】第１実施形態に係る浄水装置の殺菌モードを示す構成図である。
【図３】第１実施形態に係る浄水装置の変更例を示す構成図である。
【図４】第２実施形態に係る浄水装置を示す構成図である。
【図５】第３実施形態に係る浄水装置を示す構成図である。
【図６】第３実施形態に係る浄水装置の変更例を示す構成図である。
【図７】第４実施形態に係る浄水装置を示す構成図である。
【図８】第４実施形態に係る浄水装置の変更例を示す構成図である。
【発明を実施するための形態】
【００２３】
次に、本発明に係る浄水装置の実施形態について、図面を参照しながら説明するなお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００２４】
［第１実施形態］
（浄水装置の構成）
まず、第１実施形態に係る浄水装置１について、図面を参照しながら説明する。図１は、第１実施形態に係る浄水装置１の通水モードを示す構成図である。図２は、第１実施形態に係る浄水装置１の殺菌モードを示す構成図である。
【００２５】
図１及び図２に示すように、浄水装置１は、原水を浄化することによって浄水を生成する装置であり、ユーザーが任意で浄水を給水できるようになっている。この浄水装置１は、原水槽１０と、浄化部２０と、オゾン生成部３０と、操作部４０と、制御部５０とを備えている。
【００２６】
原水槽１０は、原水を供給する原水供給部１１と、原水槽１０内の原水の水位を検知する水位センサ１２とを有している。ただし、水位センサ１２に限定されるものではなく、原水槽の水位を検知できるものであれば、圧力センサや、水量を検知する導電率センサ、光学センサ、超音波センサ等であってもよい。
【００２７】
原水槽１０の下流側には、浄化部２０と連通する原水配管１３と、原水を吐出する吐出配管１４とが設けられている。原水配管１３には、原水を浄化部２０に供給する原水供給ポンプ１５が設けられており、吐出配管１４には、吐出配管１４を封止可能な排水弁１６が設けられている。
【００２８】
浄化部２０は、原水を浄化することによって浄水を生成するカートリッジ（不図示）を有している。カートリッジは、活性炭などの吸着手段によって構成されている。なお、カートリッジは、必ずしも活性炭などの吸着手段によって構成される必要はない。例えば、カートリッジは、ＲＯ（逆浸透）、ＮＦ、ＵＦ（限外ろ過）、ＭＦ（精密ろ過）などの分離膜や砂濾過、イオン交換樹脂等やそれらの組み合わせによって構成されていてもよい。
【００２９】
浄化部２０の下流側には、浄水を吐出する吐出口２１と連通する浄水配管２２が設けられている。浄水配管２２の吐出口２１側には、浄水配管２２を封止可能な浄水吐出弁２３が設けられている。また、浄水配管２２の途中には、浄水配管２２から分岐してオゾン生成部３０が設けられるオゾン供給配管２４が設けられている。
【００３０】
オゾン生成部３０は、オゾン供給配管２４内で殺菌成分を含む流体としてのオゾンガスを生成する。オゾン生成部３０は、コロナ放電や無声放電、グロー放電ができる電極３０Ａなどの電気分解方式（電極間に高電圧を印加して放電現象を発生される方式）によってオゾンガスを生成する。オゾン生成部３０は、電気的作用によってオゾンガスの発生のオン又はオフを切り替えられればよい。また、オゾン発生方式としては、例えば、紫外線方式などのオゾンガスが発生すれば特に限定されるものではない。
【００３１】
オゾン生成部３０は、必ずしもオゾンガスを生成するものに限らず、例えば、エチレンオキシド、ホルムアルデヒドや塩素など殺菌成分を持つ気体を生成するものであってもよい。例えば、オゾン生成部３０内には、チタン、プラチナ、ステンレス、炭素等の電気的作用や、ヒータ等の気化作用、超音波等の振動により生成可能な殺菌性ガスを発生させることができる液体を充填したゲルや多孔質素材が格納されていてもよい。
【００３２】
オゾン生成部３０には、オゾン供給配管２４内にオゾンガスを供給するオゾン供給ポンプ３１が隣接されている。オゾン供給ポンプ３１は、浄水配管２２及びオゾン供給配管２４内にオゾンガスを循環させる。なお、オゾン供給ポンプ３１がオゾンガスを循環させる経路については適宜設定でき、例えば原水槽１０に戻す構成であってもよく、また循環させずに排出する構成であってもよい。また、オゾン供給配管２４の途中には、浄水配管２２とオゾン供給配管２４を封止可能なオゾン導通弁３２が設けられている。
【００３３】
操作部４０は、浄水装置１の各種操作を行うものである。具体的には、操作部４０は、通水モード或いは殺菌モードを選択可能に構成され、通水モード及び殺菌モードを含む情報を制御部５０に送信する。
【００３４】
なお、通水モードとは、浄化部２０によって生成された浄水を吐出口２１から吐出する状態（図１参照）を示す。また、殺菌モードとは、オゾンガスにより浄水装置１の内部を殺菌する状態（図２参照）を示す。
【００３５】
制御部５０は、各部の制御や各種演算を行うＣＰＵ、メモリ部、計時部などを有するコンピュータによって構成されている。この制御部５０には、電源や水位センサ１２、原水供給ポンプ１５、排水弁１６、浄水吐出弁２３、オゾン生成部３０、オゾン供給ポンプ３１、オゾン導通弁３２等が接続されている。
【００３６】
制御部５０は、操作部４０からの情報（例えば、操作部４０に設けられる通水モード又は殺菌モードを起動するボタンの押圧等）に基づいて、通水モード及び殺菌モードを切り替える。制御部５０は、通水モードにおいて浄水が吐出されていないと判断した場合のみ、オゾン生成部３０を稼働させて殺菌モードに切り替えるようになっている。
【００３７】
ここで、制御部５０は、必ずしも操作部４０からの情報に基づいて、通水モードから殺菌モードに切り替える必要はなく、殺菌モードと判断することによって自動で通水モードから殺菌モードに切り替えてもよい。例えば、制御部５０は、水位センサ１２により原水の貯水量が一定量以下であり、かつ原水供給ポンプ１５が停止していることを条件として殺菌モードを行ってもよい。
【００３８】
（浄水装置の動作）
次に、上述した浄水装置１の動作（通水モード及び殺菌モードについて、図１及び図２を参照しながら説明する。
【００３９】
（通水モード）
図１に示すように、通水モードでは、浄水吐出弁２３が開いた状態で、排水弁１６及びオゾン導通弁３２が閉じた状態である。そして、原水供給部１１から原水槽１０に供給された原水は、原水配管１３を介して浄化部２０を通過する。浄化部２０を通過することによって生成された浄水は、浄水配管２２を通過して吐出口２１から外部へ吐出される。
【００４０】
（殺菌モード）
図２に示すように、殺菌モードは、上述したように、通水モードにおいて浄水が吐出されていない場合のみ、オゾン生成部３０が稼働して殺菌モードが行われるようになっている。
【００４１】
まず、オゾン導通弁３２が開いた状態で、排水弁１６及び浄水吐出弁２３が閉じた状態となる。そして、オゾン生成部３０及びオゾン供給ポンプ３１が稼働することによって、少なくとも浄化部２０よりも下流側に位置する浄水配管２２及びオゾン供給配管２４（以下、単に「二次側流路」と称する）内をオゾンガスが循環する。これにより、二次側流路を殺菌できる。
【００４２】
ここで、浄水装置１は、タイマーにより殺菌可能な時間が経過したと判断した場合に、殺菌モードから通水モードに切り替える構成であってもよい。
【００４３】
（作用・効果）
以上説明した第１実施形態によれば、殺菌モードでは、オゾン生成部３０により生成されるオゾンガスによって、少なくとも浄化部２０の下流側に位置する二次側流路を殺菌している。このため、二次側流路を衛生的に保つことができ、安全な浄水（飲料水）を提供することができる。
【００４４】
ここで、二次側流路では、浄化部２０により浄化された浄水が通過するため、塩素等の殺菌成分が除去されてしまうことに伴い、原水が通過する浄化部２０よりも上流側に位置する原水槽１０及び原水配管１３（以下、単に「一次側流路」と称する）よりも菌が繁殖しやすいとされている。このため、第１実施形態では、少なくとも二次側流路を殺菌することとしている。
【００４５】
加えて、通水モードにおいて浄水が吐出されていないと判断した場合のみ、オゾン生成部３０が稼働して殺菌モードへ切り替わる。このため、浄水にオゾンガスが含有されてしまうことを防止でき、オゾンガスが含有された浄水が吐出されてしまうことなく、さらに安全な浄水を提供することができる。
【００４６】
また、第１実施形態によれば、オゾン生成部３０により生成される流体がガスであるため、二次側流路全域の奥まった部分まで、オゾンガスが流れ易くなる。その上、オゾン導通弁３２が開いた状態で、排水弁１６及び浄水吐出弁２３が閉じた状態となっているため、空気中からの菌の混入を抑制することができ、菌が万一混入しても増殖することがなく、二次側流路を衛生的に保つことができる。
【００４７】
（変更例）
次に、上述した第１実施形態に係る浄水装置１の変更例について、図面を参照しながら説明する。図３は、第１実施形態に係る浄水装置１の変更例を示す構成図である。なお、上述した第１実施形態に係る浄水装置１と相違する部分を主として説明する。
【００４８】
上述した第１実施形態では、二次側流路としての浄水配管２２及びオゾン供給配管２４内に浄水が残留している場合が想定される。これに対して、第２実施形態では、少なくとも二次側流路内に残留した浄水を排出することができる。
【００４９】
殺菌モードの前に、浄水吐出弁２３が開いてオゾン導通弁３２を閉じた状態で、オゾン供給ポンプ３１を稼働させる。すると、オゾン供給ポンプ３１の圧力によりオゾン供給ポンプ３１からオゾン導通弁３２に至る経路が高内圧となって内部の気体が圧縮される。
【００５０】
次に、圧力を保ったまま浄水吐出弁２３を閉じた後、オゾン導通弁３２を開くことによって、圧縮された気体に膨張する力が発生して、内部に残留した浄水を浄化部２０側へ押し返す。これにより、殺菌対象となる二次側流路内から浄水を、一次側流路としての原水配管１３側へ送り戻すことができる。このとき、オゾン供給ポンプ３１が停止していても停止していなくてもよい。
【００５１】
このような一連の動作を複数回繰り返すことによって、残留した浄水を、より確実に排水することができる。この後に、第１実施形態で説明した殺菌モードが行われることによって、二次側流路をより確実に殺菌できる。
【００５２】
ここで、オゾン生成部３０は、少なくとも二次側流路内に残留した浄水を放出すると同時に、オゾンガスを流出させてもよい。この場合、吐出口２１から入り込む空気を用いて生成されたオゾンガスは、二次側流路内に残留した浄水を移動させながら、二次側流路内に充填される（奥まったところまで行き渡る）。従って、二次側流路内を殺菌できることは勿論、浄化部２０（カートリッジ）にもオゾンガスを行き渡らせることができる。
【００５３】
［第２実施形態］
以下において、第２実施形態に係る浄水装置２について、図面を参照しながら説明する。なお、上述した第１実施形態に係る浄水装置１と同一部分には同一の符号を付して、相違する部分を主として説明する。
【００５４】
上述した第１実施形態では、原水槽１０の水位の高さは、特に規定定していないが、図面では二次側流路としての浄水配管２２及びオゾン供給配管２４とほぼ同等の高さ位置に設けられている。これに対して、第２実施形態では、原水槽１０は、第一実施形態で示した位置と異なっている。
【００５５】
（浄水装置の構成）
まず、第２実施形態に係る浄水装置２の構成について、図面を参照しながら説明する。図４は、第２実施形態に係る浄水装置２を示す構成図である。
【００５６】
図４に示すように、原水槽１０の水位の上端高さは、浄化部２０の上端よりも低い位置に位置するようにしている。すなわち、原水槽１０は、二次側流路よりも低い位置（ａの分低い位置）に設けられる。
【００５７】
原水槽１０は、浄化部２０の二次側流路から逆流してくる水量が予め考慮された大きさであり、浄化部２０の二次側流路全ての浄水が浄化部２０の一次側流路へ流れても溢れないように設定されている。つまり、原水槽１０は、充分な容量であるとともに、水位差がゼロになった時点で浄水が浄化部２０の二次側流路寄りの部分から抜けるように設定されている。
【００５８】
また、浄化部２０の内部では、図面では示されていないが、原水配管１３側の一次側流路寄りの部分と、浄水配管２２側の二次側流路寄りの部分とが菌が通過しない膜等によって区画されている。
【００５９】
（浄水の排出）
図４に示すように、上述した浄水装置２では、通水モードの停止時に水位差によって、二次側流路内に残留した浄水が浄化部２０の一次側流路寄りの部分に自然落下し、一次側流路に流れる。このとき、上述した原水槽１０の構成であるため、浄化部２０側に排出された浄水は、浄化部２０の一次側流路としての原水槽１０及び原水配管１３からは溢れない。
【００６０】
（作用・効果）
以上説明した第２実施形態によれば、原水槽１０の上端は、浄化部２０の上端よりも低い位置に設けられるため、浄水モードが停止した際に、二次側流路に残留した浄水が落差により一次側流路に流れ戻る。このため、二次側流路に残留した浄水を排出する手段を別途設けることなく、二次側流路内に残留した浄水を一次側流路側へ送り戻すことができる。従って、浄水装置２の運転コストや製造コストを低減することができる。
【００６１】
［第３実施形態］
以下において、第３実施形態に係る浄水装置３について、図面を参照しながら説明する。なお、上述した第１，２実施形態に係る浄水装置１，２と同一部分には同一の符号を付して、相違する部分を主として説明する。
【００６２】
上述した第１，２実施形態では、流体は、オゾンガス（気体）である。これに対して、第３実施形態では、流体は、殺菌成分を含む液体であり、例えば、オゾン水又は塩素（次亜塩素酸）水や過酸化水素水が挙げられる。以下においては、流体は、オゾン水であるものとする。
【００６３】
（浄水装置の構成）
まず、第３実施形態に係る浄水装置３の構成について、図面を参照しながら説明する。図５は、第３実施形態に係る浄水装置３を示す構成図である。
【００６４】
図５に示すように、浄水装置３は、上述した第１，２実施形態に係る浄水装置１，２の浄化部２０の下流側が異なっている。浄化部２０の下流側には、浄水を吐出する吐出口２１と連通する浄水配管２２が設けられている。浄水配管２２の途中には、吐出口２１側又は原水槽１０に連通する流体循環配管２５への浄水やオゾン水の経路を切り替え可能な三方弁８０が設けられている。
【００６５】
（浄水装置の動き）
図５に示すように、通水モードでは、三方弁８０が吐出口２１側へ開いた状態で、浄化部２０を通過することによって生成された浄水は、浄水配管２２を通過して吐出口２１から外部へ吐出される。このとき、浄水は、オゾン生成部３０を通過しても、オゾン生成部３０内の各電極間が通電されていないため、殺菌成分を含まない。なお、オゾン生成部３０内の電極はオゾン水を生成できるものであればよいが、例えば、酸化タンタルやボロンドープダイヤモンド電極等を用いることが望ましい。
【００６６】
一方、殺菌モードでは、浄水配管２２内を通過する浄水は、各電極間が通電されたオゾン生成部３０を通過することによって殺菌成分を含むオゾン水となり、浄水配管２２、三方弁８０、流体循環配管２５、原水槽１０、原水配管１３、浄化部２０の順で循環する。
【００６７】
なお、流体循環配管２５は、必ずしも原水槽１０へ連通する必要はなく、適宜設定することができる。また、オゾン水は、必ずしも原水槽１０へ循環する必要はなく、吐出配管１４等から浄水装置３の外部に排出されてもよい。
【００６８】
（作用・効果）
以上説明した第３実施形態によれば、オゾン水は、二次側流路に循環することに加えて、一次側流路にも循環している。このため、二次側流路に加えて、一次側流路（原水槽１０及び原水配管１３）をも殺菌できる。
【００６９】
また、オゾン生成部３０により生成される流体がオゾン水であるため、殺菌モード中にユーザーが誤って原水供給部１１を開けて開けてしまった場合で、オゾンガス等の気体と比較して、原水槽１０の原水供給部１１から放出されることを防止できる。従って、より安全性の高い浄水装置３を提供することができる。
【００７０】
（変更例１）
次に、上述した第３実施形態に係る浄水装置３の変更例１について、図面を参照しながら説明する。図６は、第３実施形態に係る浄水装置３の変更例１を示す構成図である。なお、上述した第３実施形態に係る浄水装置３と同一部分には同一の符号を付して、相違する部分を主として説明する。
【００７１】
上述した第３実施形態では、流体循環配管２５は、原水槽１０のみに連通している。これに対して、変更例１では、流体循環配管２５は、原水槽１０に加えて浄水配管２２の上流側にも連通している。
【００７２】
図６に示すように、流体循環配管２５は、浄化部２０の上流側に位置する一次側流路としての原水槽１０にオゾン水を導く一次側循環路２５Ａと、浄化部２０の下流側に位置する一次側流路としての浄水配管２２（浄化部２０側）にオゾン水を導く二次側循環路２５Ｂとによって構成されている。
【００７３】
一次側循環路２５Ａと二次側循環路２５Ｂとの分岐部には、オゾン水の経路を切り替え可能な三方弁８１が設けられている。この三方弁８１と上述した三方弁８０との間には、オゾン供給ポンプ３１が設けられている。オゾン生成部３０は、一次側循環路２５Ａ及び二次側循環路２５Ｂにオゾン水を循環させ、浄水装置３の内部を殺菌できる。なお、オゾン水を循環させる順序については、適宜変更することができる。
【００７４】
（変更例２）
次に、上述した第３実施形態に係る浄水装置３の変更例２について、図６を参照しながら説明する。なお、上述した第３実施形態に係る浄水装置３と相違する部分を主として説明する。
【００７５】
上述した第３実施形態では、殺菌モードの終了後には、通水モードに切り替わるようになっている。これに対して、変更例２では、殺菌モードの終了後にオゾン水を外部に放出するようになっている。
【００７６】
例えば、オゾン水を外部に放出する手段としては、吐出配管１４や吐出口２１から液体を放出することが挙げられる。特に、オゾン水が吐出口２１から放出される場合、吐出口２１をも殺菌することができ、より浄水装置３内を衛生的に保つことができる。
【００７７】
［第４実施形態］
以下において、第４実施形態に係る浄水装置４について、図面を参照しながら説明する。なお、上述した第３実施形態に係る浄水装置３と同一部分には同一の符号を付して、相違する部分を主として説明する。
【００７８】
上述した第３実施形態では、浄水装置３は、通水モード及び殺菌モードを切り替え可能であり、オゾン水を無害化していない。これに対して、第４実施形態では、浄水装置４は、通水モード及び殺菌モードに加えて無害化モードにも切り替え可能であり、オゾンガスを無害化する。
【００７９】
（浄水装置の構成）
まず、第４実施形態に係る浄水装置４の構成について、図面を参照しながら説明する。図７は、第４実施形態に係る浄水装置４を示す構成図である。
【００８０】
図７に示すように、浄水装置４は、第１実施形態や第２実施形態の構成に加えて、オゾン水を無害化するオゾン無害化手段６０を備えている。なお、無害化とは、人体に悪影響を及ぼすおそれのある物質（副生物）が吐出口２１から吐出する浄水に存在しないようにすることを示す。
【００８１】
オゾン無害化手段６０は、一次側循環路２５Ａの途中に設けられている。オゾン無害化手段６０は、活性炭や紫外線、ヒーターなど、オゾン水を分解する手段であればよい。なお、オゾン無害化手段６０は、オゾン生成部３０がオゾン水以外の流体を発生する場合、その流体成分にあった分解手段であることが好ましい。
【００８２】
（浄水装置の動き）
図７に示すように、無害化モードでは、殺菌モードが終了した際に行われ、浄水装置４内に残留したオゾン水を分解する。具体的には、オゾン供給ポンプ３１が稼働することによって、浄水配管２２及び流体循環配管２５（一次側循環路２５Ａ）内を循環したオゾン水がオゾン無害化手段６０を通過する。これにより、浄水装置４内のオゾン水が分解される。
【００８３】
（作用・効果）
以上説明した第４実施形態では、オゾンガスを無害化することができるため、浄水装置４内にオゾンガスが残留することを防止でき、オゾンガスが含有された浄水が吐出されてしまうことなく、より安全な飲料水を提供することができる。
【００８４】
（変更例）
次に、上述した第４実施形態に係る浄水装置４の変更例について、図８を参照しながら説明する。図８は、第４実施形態に係る浄水装置４の変更例を示す構成図である。上述した第４実施形態に係る浄水装置４と同一部分には同一の符号を付して、相違する部分を主として説明する。
【００８５】
上述した第４実施形態では、オゾン無害化手段６０は、一次側循環路２５Ａの途中に設けられている。これに対して、第４実施形態では、オゾン無害化手段６０は、第４実施形態のように別途設けられていない。
【００８６】
図８に示すように、浄化部２０内のカートリッジ２０Ａは、活性炭などの吸着手段によって構成されていており、オゾン無害化手段は、カートリッジ２０Ａによって構成されている。なお、一次側循環路２５Ａは、原水槽１０に連通せずに、原水配管１３に連通している。
【００８７】
無害化モードでは、殺菌モードが終了した際に行われ、浄水装置４内に残留したオゾンガスを分解する。具体的には、オゾン供給ポンプ３１が稼働することによって、浄水配管２２及び流体循環配管２５（一次側循環路２５Ａ）内を循環したオゾン水が浄化部２０内のカートリッジ２０Ａを通過する。これにより、浄水装置４内のオゾン水が分解される。
【００８８】
このように、オゾン無害化手段６０は、第４実施形態のように別途設けられていないため、浄水装置４のコンパクト化や低コスト化を実現することができる。
【００８９】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９０】
例えば、本発明の実施形態は、次のように変更することができる。具体的には、浄水装置１〜４は、殺菌モードや無害化モードが終了して通常モードに切り替わった直後においては、一定時間（例えば、１０秒）浄水を流す構成であってもよい。また、浄水装置１〜４は、オゾンガス（殺菌性流体））が浄水に残留しないことを報知する報知手段を備えていてもよい。
【００９１】
なお、浄水装置１〜４については、様々な組み合わせも可能であるとともに、各実施形態で説明した構成以外であってもよいことは勿論である。
【００９２】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００９３】
１〜４…浄水装置
１０…原水槽
２０…浄化部
３０…オゾン生成部（流体生成部）
４０…操作部
５０…制御部
６０…オゾン無害化手段（流体無害化手段）
【図１】
2013126629.tif 000003
【図２】
2013126629.tif 000004
【図３】
2013126629.tif 000005
【図４】
2013126629.tif 000006
【図５】
2013126629.tif 000007
【図６】
2013126629.tif 000008
【図７】
2013126629.tif 000009
【図８】
2013126629.tif 000010